(57)【要約】【課題】低コストで所望の領域を略均一に発光させることのできる新規な発光型複合布製品を提供する。【解決手段】光源と、前記光源からの光を端面から入射させて導光し、点在する拡散反射部により導光された光を射出させる導光シートと、前記導光シートの両面を覆うと共に、前記導光シートから射出される光を半透過させる布材と、を有する発光型複合布製品とする。【選択図】図２
2012065927.tif 000002
【特許請求の範囲】
【請求項１】
光源と、
前記光源からの光を端面から入射させて導光し、点在する拡散反射部により導光された光を射出させる導光シートと、
前記導光シートの両面を覆うと共に、前記導光シートから射出される光を半透過させる布材と、を有することを特徴とする発光型複合布製品。
【請求項２】
前記導光シートが可撓性を有することを特徴とする請求項１に記載の発光型複合布製品。
【請求項３】
前記導光シートの両面にハードコートを施したことを特徴とする請求項１又は２に記載の発光型複合布製品。
【請求項４】
前記導光シートの何れか一方の面と前記布材との間に反射シートを設けたことを特徴とする請求項１から３までのいずれか一項に記載の発光型複合布製品。
【発明の詳細な説明】
【技術分野】
【０００１】
本発明は、室内又は室外で使用される発光型複合布製品に関するものである。
【背景技術】
【０００２】
従来より、カーテンやのれん等で、それ自体が発光するよう構成された室内外装飾用材が知られている。
【０００３】
このようなものとして、光ファイバを編み込んで布地とし、蛍光体、有機色素、無機色素、着色剤等顔料を用いて絵や文字を形成し、光ファイバに光を通して布から光が出るようにした布や、この布を用いた室内外装飾材が知られている（例えば、特許文献１参照）。
【先行技術文献】
【特許文献】
【０００４】
【特許文献１】特開２００６−３７３２３号公報
【発明の概要】
【発明が解決しようとする課題】
【０００５】
しかしながら、特許文献１に記載の室内外装飾材は、光ファイバを用いており、光はファイバ側面からは漏れ出ないため、側面から光を射出させるには側面加工が必要となり、工数増により高コストとなる問題がある。また、編み込んだ後での側面加工では、射出光を均一とするのが困難であり、編む際にファイバ表面を傷つけると、その部位から光が漏れ出し不均一に光るという問題がある。
【０００６】
本発明は上記問題に鑑み、低コストで所望の領域を略均一に発光させることのできる新規な発光型複合布製品を提供することを目的とするものである。
【課題を解決するための手段】
【０００７】
上記の目的は、下記の構成により達成される。
【０００８】
（１）光源と、前記光源からの光を端面から入射させて導光し、点在する拡散反射部により導光された光を射出させる導光シートと、前記導光シートの両面を覆うと共に、前記導光シートから射出される光を半透過させる布材と、を有することを特徴とする発光型複合布製品。
【０００９】
（２）前記導光シートが可撓性を有することを特徴とする前記（１）に記載の発光型複合布製品。
【００１０】
（３）前記導光シートの両面にハードコートを施したことを特徴とする前記（１）又は（２）に記載の発光型複合布製品。
【００１１】
（４）前記導光シートの何れか一方の面と前記布材との間に反射シートを設けたことを特徴とする前記（１）から（３）までのいずれかに記載の発光型複合布製品。
【発明の効果】
【００１２】
本発明によれば、低コストで所望の領域を略均一に発光させることのできる新規な発光型複合布製品を提供することが可能となる。
【図面の簡単な説明】
【００１３】
【図１】本実施の形態に係る発光型複合布製品の一例を示す図である。
【図２】図１に示す発光型複合布製品の要部を拡大した断面図である。
【図３】発光部の断面構成のその他の例を示す拡大図である。
【図４】本実施の形態に係る発光型複合布製品の他の例を示す図である。
【図５】本実施の形態に係る発光型複合布製品の他の例を示す図である。
【図６】本実施の形態に係る発光型複合布製品の他の例を示す図である。
【図７】図７に示す発光型複合布製品の短冊状の発光部の短辺方向の断面模式図である。
【図８】本実施の形態に係る発光型複合布製品の他の例を示す図である。
【発明を実施するための形態】
【００１４】
以下、実施の形態により本発明を詳しく説明するが、本発明はこれに限定されるものではない。
【００１５】
図１は、本実施の形態に係る発光型複合布製品１の一例を示す図である。図１（ａ）は発光部２０の展開時の状態の斜視図、図１（ｂ）は展開時の状態の側面図、図１（ｃ）は発光部２０の折りたたみ時の状態を示す斜視図である。
【００１６】
図１に示す発光型複合布製品１はカーテン状のものであり、大別して、光源部を含んで構成された取り付け部１０と、発光部２０とで構成されている。
【００１７】
取り付け部１０は、壁面や窓枠等に取り付けられるようになっていると共に、光源部を内包している。発光部２０は主として、光源部からの光を端面から入射させて導光する導光シートと、この導光シートの両面を覆う半透光性の布材とで構成されている。
【００１８】
図１に示す発光型複合布製品１は、同図（ａ）に示す発光部２０の展開された状態から、同図（ｃ）に示す折りたたみ状態へは、取り付け部１０に形成されたフック５１に発光部２０の端部に設けられた吊り環５２を掛けることで行われる。
【００１９】
図２は、図１に示す発光型複合布製品１の要部を拡大した断面図である。図２（ａ）は図１（ｂ）に示すＸ部の拡大断面図であり、図２（ｂ）は図１（ｂ）に示すＹ部の拡大断面図である。
【００２０】
図２（ａ）に示すように、取り付け部１０の取り付け枠１１の内側に、光源部カバー１２が締結部材１６により組み付けられている。
【００２１】
光源部カバー１２内にはＬＥＤ１３が、紙面表裏方向に複数個配置されている。発光部２０の導光シート２２は、その端面がＬＥＤ１３の発光部に対向するように配置され、締結部材１５により光源部カバー１２に固定されている。これにより、光源であるＬＥＤ１３からの光が入射する導光シート２２の端面は、移動及び変形できないように固定される。締結部材１５は、光源部カバー１２の両側端部及び中央部の３点程度で固定することが好ましい。また、締結部材１５の位置は、導光シート２２に入射後のＬＥＤ１３からの光を遮らないよう、ＬＥＤ１３の正面位置からは、ずらせて配置されていることが好ましい。また、接着や押圧挟持及び、これらと締結部材の併用であってもよい。
【００２２】
図２（ａ）及び（ｂ）に示す導光シート２２は、可撓性を有する略透明のシートであり、ＬＥＤ１３からの光が空気との境界面で全反射するよう表面が滑面で形成されている。また、導光シート２２の一方の面には、印刷、成形等により形成された拡散反射部２２ａが点在している。この拡散反射部２２ａにより、導光シート２２内部で全反射した光は拡散反射され、導光シート２２の拡散反射部２２ａが形成された面に相対する面から多量の光が射出される。一方、拡散反射部２２ａが形成された面からも極少量の光が射出される。
【００２３】
また、導光シート２２の両面には、導光シート２２から射出される光を半透過させる材料で形成された布材２１、２３が配置されている。布材２１、２３は、導光シート２２全面を覆うように形成され、その側端部で縫合又は両面テープ等で合わされて袋状となされている。また、袋状に形成された布材２１、２３の開口部は、図２（ａ）に示すように、例えばネジの締結部材２４により光源部カバー１２に固定されている。なお、袋状に形成された布材２１、２３の開口部は、フックと環状部材で吊り下げるようにしてもよい。なお、布材２１、２３の開口部は取り付け枠１１に固定又は吊り下げられていてもよい。このように、締結部材をユーザが取り外しできるように構成することで、布材をユーザの好みに応じて選択、交換できるようになる。
【００２４】
本実施の形態に係る発光型複合布製品に用いられる布材２１、２３は、導光シート２２から射出される光を半透過させるものである。本例でいう「半透過」とは、透過率が１０〜７０％程度をいう。また、用いられる布材２１、２３は、同じ透過率のものであってもよいし、異なる透過率のものであってもよい。
【００２５】
導光シート２２から、射出された光はこの布材２１、２３により、その透過率に応じた光量が外部へ射出されることになる。これによる光量減はあるが、この布材により射出される光は、より均一化されたものとなる。
【００２６】
なお、導光シート２２の両面は、ハードコート処理が施されていることが好ましい。ハードコートは例えば公知のＳｉＯ２等を用いることができる。ハードコートを施すことで、導光シート２２と布材２１、２３のこすれによる擦り傷を防止することができる。
【００２７】
図３は、発光部２０の断面構成のその他の例を示す拡大図である。図３（ａ）は導光シート２２の両面に拡散反射部２２ａを形成したものであり、図３（ｂ）は導光シート２２と布材２３との間に反射シート２５を配置したものである。
【００２８】
同図（ａ）に示すように、導光シート２２の両面に拡散反射部２２ａを形成すれば、両面側に光を射出させるようにできる。また、同図（ｂ）に示すように導光シート２２と布材２３との間に反射シート２５を配置すれば、拡散反射部２２ａが形成された面側に射出される光を相対する面側に反射させ射出させるようにできる。
【００２９】
すなわち、拡散反射部２２ａを形成する面、導光シート２２と布材２３との間に他のシート材の挿入の要否、布材２１、２３の透過率を、用途目的に応じ、適宜選択することで所望の各種の発光型複合布製品を得ることができる。
【００３０】
図４は、本実施の形態に係る発光型複合布製品１の他の例を示す図である。
【００３１】
図４に示す発光型複合布製品１は、図１に示す発光型複合布製品１を短冊状に複数枚並べ、のれん状に配置したものである。この発光型複合布製品１は、取り付けバー３１により出入り口等の上に固定されるようになっていると共に光源部を内包している。光源部及び発光部の構成は図２に示すものと同様である。
【００３２】
例えば、所望のパターンで、拡散反射部２２ａを導光シート２２に点在させて形成し、射出される光で店舗名や文字、パターン等を表示させることもできる。
【００３３】
図５は、本実施の形態に係る発光型複合布製品１の他の例を示す図である。図５（ａ）は発光部２０の展開時の状態を示す斜視図、図５（ｂ）は図５（ａ）に示すＺ−Ｚ線で切断した断面の拡大図である。
【００３４】
図５に示す発光型複合布製品１は、ロールカーテン状のものである。図５（ａ）に示す取り付け部１０には、発光部２０を巻き取るための公知の巻き取り部が内包されており、不使用時には発光部２０が取り付け部１０内に収納されるようになっている。
【００３５】
本例においては、発光部２０が取り付け部１０内に巻き取られるため光源の配置が上述の例とは異なり、発光部２０の図示下端部に配置されている。
【００３６】
図５（ｂ）に示すように、発光部２０の末端部には、光源部カバー１２が締結部材２６により導光シート２２、布材２１、２３に固定されている。２７はスペーサである。
【００３７】
光源部カバー１２内にはＬＥＤ１３が、紙面表裏方向に複数個配置されている。図２（ａ）と同様に、導光シート２２は、その端面がＬＥＤ１３の発光部に対向するように配置されている。締結部材２６は、光源部カバー１２の両側端部及び中央部の３点程度で固定することが好ましい。また、締結部材２６の位置は、導光シート２２に入射後のＬＥＤ１３からの光を遮らないよう、ＬＥＤ１３の正面位置からは、ずらせて配置されていることが好ましい。また、接着や押圧挟持及び、これらと締結部材の併用であってもよい。
【００３８】
また、本例の場合、ＬＥＤ１３への電力は、布材２１、２３で挟まれた導光シート２２側面の隙間に導線を配置して供給してもよいし、導光シート２２の面上に透明電極を形成して供給するよう構成してもよい。
【００３９】
図６は、本実施の形態に係る発光型複合布製品１の他の例を示す図である。
【００４０】
図６に示す発光型複合布製品１は、短冊状の発光部２０を短辺方向に連設し、アコーディオンカーテン状に形成したものである。短冊状の個々は、図２（ａ）に示すような光源部カバー１２及びその構造と、図２（ｂ）に示すような発光部２０の構成を有している。
【００４１】
本例は、光源部カバー１２に吊り環５２が形成され、レール３２に吊り下げられているものであり、短冊状の発光部２０の連接部Ａの柔軟性を利用して、略平坦面状及びジグザグ状にすることができるようになっている。なお、図示では６枚の短冊状の発光部２０を連設した例を示しているが、２枚以上で構成されていればよい。
【００４２】
図７は、図７に示す発光型複合布製品１の短冊状の発光部２０の短辺方向の断面模式図である。図７（ａ）は連接部Ａが布材で構成されたもの、図７（ｂ）及び図７（ｃ）は連接部Ａが導光シート２２で形成されたものを示している。
【００４３】
同図（ａ）に示す連接部Ａは、発光部２０の短冊状の導光シート２２を、分離して形成し、個々の導光シート２２の間で布材２１、２３を縫合や両面テープによる接着により接合したものである。この場合には、導光シート２２は可撓性を有していてもよいが、必須のものではない。
【００４４】
また、同図（ｂ）に示す連接部Ａは、短冊状の導光シート２２に一体で形成されたものである。図示の如く、ＬＥＤの光束を導く導光部をやや厚めに形成し、連接部Ａをくびれた形状となるよう薄く形成したものである。この場合も、少なくとも連接部Ａが可撓性を有していればよい。また、布材２１、２３は図示のように導光シート２２の導光部のみを覆うように形成してもよいし、全面を覆うようにしてもよい。
【００４５】
また、同図（ｃ）に示す例は、導光シート２２の全面を可撓性を有する厚さに形成したものである。また、布材２１、２３は図示のように導光シート２２の導光部のみを覆うように形成してもよいし、全面を覆うようにしてもよい。
【００４６】
図８は、本実施の形態に係る発光型複合布製品１の他の例を示す図である。
【００４７】
図８に示す発光型複合布製品１は、図１に示す発光型複合布製品１の構成をそのままに、横にして使用するようにしたものである。図示の如く、発光部２０の側端部に所定の間隔で吊り環５２を組み付け、該吊り環５２をレール３２に貫通させたものである。このようにしても、発光部２０を図示のような略平坦な状態と、発光部２０を図示左方向にたたみ込んだ状態に変化させることができる。
【００４８】
以上説明したように、光源からの光を端面から入射させて導光し、点在する拡散反射部により導光された光を射出させる導光シートと、半透光性を有する布材で導光シートの両面を覆った発光型複合布製品とすることにより、複雑な加工を必要とせず、低コストで所望の領域を略均一に発光させることのできる新規な発光型複合布製品を提供することが可能となる。
【符号の説明】
【００４９】
１  発光型複合布製品
１０  取り付け部
１１  取り付け枠
１２  光源部カバー
１３  ＬＥＤ
１５  締結部材
１６  締結部材
２０  発光部
２１  布材
２２  導光シート
２２ａ  拡散反射部
２３  布材
２４  締結部材
２５  反射シート
２６  締結部材
２７  スペーサ
３１  取り付けバー
３２  レール
５１  フック
５２  吊り環
Ａ  連接部
【図１】
2012065927.tif 000003
【図２】
2012065927.tif 000004
【図３】
2012065927.tif 000005
【図４】
2012065927.tif 000006
【図５】
2012065927.tif 000007
【図６】
2012065927.tif 000008
【図７】
2012065927.tif 000009
【図８】
2012065927.tif 000010